【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、
前記登録手続きが実行されると、前記親通信機は、前記子通信機からの識別符号付与要求信号中の制御情報に含まれる暗号機能の有無を示す識別子を検出し、前記識別子が暗号機能を示している場合は、前記システム識別符号及び前記機器識別符号及び暗号化のための秘密鍵情報を一つの応答パケットに構成し、前記応答パケットの制御情報のところに暗号機能を有することを示す識別子をセットして前記子通信機に前記応答パケットを送信する構成である通信システム。
【請求項２】
親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、
前記登録手続きが実行されると、前記子通信機は、前記親通信機に対して暗号機能を有する識別子を前記システム識別符号及び前記機器識別符号の付与を要求する識別符号付与要求信号中の制御情報に乗せて前記識別符号付与要求信号を送信し、前記識別符号付与要求信号に対する前記親通信機からの応答パケットを受信し、前記応答パケットの制御情報に含まれる暗号機能を有する識別子がセットされていれば、前記応答パケットは秘密鍵情報を含んだパケットであることを認識し、前記秘密鍵を取得する構成とした通信システム。
【請求項３】
親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、
前記登録手続きが実行されると、前記子通信機は、前記親通信機に対して暗号機能を有する識別子を前記システム識別符号及び前記機器識別符号の付与を要求する識別符号付与要求信号中の制御情報に乗せて前記識別符号付与要求信号を送信し、
前記親通信機は、前記子通信機からの前記識別符号付与要求信号中の制御情報に含まれる暗号機能の有無を示す識別子を検出し、前記識別子が暗号機能を示している場合は、前記システム識別符号及び前記機器識別符号及び暗号化のための秘密鍵情報を一つの応答パケットに構成し、前記応答パケットの制御情報のところに暗号機能を有することを示す識別子をセットして前記子通信機に前記応答パケットを送信し、
前記子通信機は、前記応答パケットの制御情報に含まれる暗号機能を有する識別子がセットされていれば、前記応答パケットは秘密鍵情報を含んだパケットであることを認識し、前記秘密鍵を取得する構成とした通信システム。
【請求項４】
データの通信に先立ち、第１の通信機は、第２の通信機に対して第２の鍵を要求する鍵要求信号を送信し、前記第２の通信機から前記第２の鍵を受け取ると、あらかじめ前記第２の通信機との間で共有している秘密鍵と前記第２の鍵から生成される符号を用いてデータにスクランブルをかけた後、前記スクランブルのかかったデータに暗号電文であることを示す暗号化識別子を含む制御情報を付加したパケットを作成し、前記パケットを送信する構成とした通信システム。
【請求項５】
データの通信に先立ち、第２の通信機は、第１の通信機からの第２の鍵を要求する鍵要求信号に対して、前記第２の鍵を前記第１の通信機に送信した後、所定時間以内に前記第１の通信機からの信号を受信した場合は前記信号の制御情報に含まれる暗号化識別子を検出し、あらかじめ前記第１の通信機との間で共有している秘密鍵と前記第２の鍵から生成される符号を用いて前記信号に含まれる受信データにディスクランブルをかける構成とした通信システム。
【請求項６】
データの通信に先立ち、第１の通信機から第２の通信機に対して第２の鍵を要求する鍵要求信号を送信し、
前記第２の通信機は前記鍵要求信号に対して前記第２の鍵を前記第１の通信機に送信し、前記前記第２の通信機はあらかじめ前記第１の通信機と前記第２の通信機で共有している秘密鍵と前記第２の鍵から生成される符号を用いて送信データにスクランブルをかけた後、前記スクランブルのかかったデータに暗号電文であることを示す暗号化識別子を含む制御情報を付加したパケットを作成送信し、
前記第２の通信機は、前記第２の鍵を前記第１の通信機に送信した後、所定時間以内に前記第１の通信機からの信号を受信した場合は前記信号の制御情報に含まれる暗号化識別子を検出し、あらかじめ前記第１の通信機との間で共有している秘密鍵と前記第２の鍵から生成される符号を用いて前記信号に含まれる受信データにディスクランブルをかける構成とした通信システム。
【請求項７】
暗号機能を有することを示す識別子と、暗号化識別子を共用としたことを特徴とする請求項１又は請求項２又は請求項４又は請求項５記載の通信システム。
【請求項８】
暗号機能を有することを示す識別子と、暗号化識別子を共用としたことを特徴とする請求項３又は請求項６記載の通信システム。
【請求項９】
請求項１〜８のいずれか１項記載の通信システムの少なくとも一部をコンピュータに実現させるためのプログラム。
【手続補正２】
【補正対象書類名】明細書
【補正対象項目名】発明の名称
【補正方法】変更
【補正の内容】
【発明の名称】通信システム及びプログラム
【手続補正３】
【補正対象書類名】明細書
【補正対象項目名】０００１
【補正方法】変更
【補正の内容】
【０００１】
本発明は、秘密鍵による通信を行う通信システム及びプログラムに関するものであり、特に秘密鍵の設定に関するものである。
【手続補正４】
【補正対象書類名】明細書
【補正対象項目名】０００９
【補正方法】変更
【補正の内容】
【０００９】
本発明は、前記従来の課題を解決するもので、簡単な操作で確実に秘密鍵の受け渡しが行われ、かつ暗号通信対応機器と暗号通信に対応していない機器の混在を同一のネットワーク内で可能とする通信システム及びそのプログラムを提供することを目的とする。
【手続補正５】
【補正対象書類名】明細書
【補正対象項目名】００１０
【補正方法】変更
【補正の内容】
【００１０】
親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、前記登録手続きが実行されると、前記親通信機は、前記子通信機からの識別符号付与要求信号中の制御情報に含まれる暗号機能の有無を示す識別子を検出し、前記識別子が暗号機能を示している場合は、前記システム識別符号及び前記機器識別符号及び暗号化のための秘密鍵情報を一つの応答パケットに構成し、前記応答パケットの制御情報のところに暗号機能を有することを示す識別子をセットして前記子通信機に前記応答パケットを送信する構成としたものである。
【手続補正６】
【補正対象書類名】明細書
【補正対象項目名】００１２
【補正方法】変更
【補正の内容】
【００１２】
本発明の通信システム及びプログラムを用いることにより、暗号機能を有する機器と暗号機能を有しない機器の混在が可能となる。
【手続補正７】
【補正対象書類名】明細書
【補正対象項目名】００１３
【補正方法】変更
【補正の内容】
【００１３】
第１の発明は、親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、前記登録手続きが実行されると、前記親通信機は、前記子通信機からの識別符号付与要求信号中の制御情報に含まれる暗号機能の有無を示す識別子を検出し、前記識別子が暗号機能を示している場合は、前記システム識別符号及び前記機器識別符号及び暗号化のための秘密鍵情報を一つの応答パケットに構成し、前記応答パケットの制御情報のところに暗号機能を有することを示す識別子をセットして前記子通信機に前記応答パケットを送信する構成としたことにより、簡単な操作で暗号機能を有する子無線機に対して秘密鍵を付与できる。
【手続補正８】
【補正対象書類名】明細書
【補正対象項目名】００１４
【補正方法】変更
【補正の内容】
【００１４】
第２の発明は、親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、前記登録手続きが実行されると、前記子通信機は、前記親通信機に対して暗号機能を有する識別子を前記システム識別符号及び前記機器識別符号の付与を要求する識別符号付与要求信号中の制御情報に乗せて前記識別符号付与要求信号を送信し、前記識別符号付与要求信号に対する前記親通信機からの応答パケットを受信し、前記応答パケットの制御情報に含まれる暗号機能を有する識別子がセットされていれば、前記応答パケットは秘密鍵情報を含んだパケットであることを認識し、前記秘密鍵を取得する構成としたことにより、簡単な操作で暗号機能を有する親無線機から秘密鍵を取得することができる。
【手続補正９】
【補正対象書類名】明細書
【補正対象項目名】００１５
【補正方法】変更
【補正の内容】
【００１５】
第３の発明は、親通信機と子通信機とで構成され、前記親通信機と前記子通信機をそれぞれ所定の登録手続きを行うことにより、親通信機から子通信機に対して同一のシステムであることを示すシステム識別符号と前記子通信機の個体識別を示す機器識別符号を付与する識別符号登録機能を有する通信システムにおいて、前記登録手続きが実行されると、前記子通信機は、前記親通信機に対して暗号機能を有する識別子を前記システム識別符号及び前記機器識別符号の付与を要求する識別符号付与要求信号中の制御情報に乗せて前記識別符号付与要求信号を送信し、前記親通信機は、前記子通信機からの前記識別符号付与要求信号中の制御情報に含まれる暗号機能の有無を示す識別子を検出し、前記識別子が暗号機能を示している場合は、前記システム識別符号及び前記機器識別符号及び暗号化のための秘密鍵情報を一つの応答パケットに構成し、前記応答パケットの制御情報のところに暗号機能を有することを示す識別子をセットして前記子通信機に前記応答パケットを送信し、前記子通信機は、前記応答パケットの制御情報に含まれる暗号機能を有する識別子がセットされていれば、前記応答パケットは秘密鍵情報を含んだパケットであることを認識し、前記秘密鍵を取得する構成としたため、簡単な操作で暗号機能を有する親無線機は秘密鍵を子無線機に発行し、子無線機は前記秘密鍵を取得することができる。
【手続補正１０】
【補正対象書類名】明細書
【補正対象項目名】００２１
【補正方法】変更
【補正の内容】
【００２１】
第９の発明は、第１〜８のいずれか１項記載の通信システムの少なくとも一部をコンピュータに実現させるためのプログラムとすることにより、簡単なハードウェアで本発明
の機能を実現できる。
【手続補正１１】
【補正対象書類名】明細書
【補正対象項目名】００５６
【補正方法】変更
【補正の内容】
【００５６】
以上のように本発明にかかる通信システム及びプログラムは、簡単な操作で秘密鍵の受け渡しを行わせることができ、かつ暗号機能に対応した機器と暗号機能に対応していない機器を識別できると共に、簡単な構成で暗号化を実現できる。